(57)【要約】【課題】ＮＲ（Ｎｅｗ  Ｒａｄｉｏ）新しい無線管理測定のための方法、デバイス、およびコンピュータ可供する。【解決手段】本開示の実施形態によれば、ネットワークデバイスは、コンポーネントキャリアのコロケーション情報を端末デバイスに送信することができる。端末デバイスは、コロケーション情報に基づいて通信測定を行ってもよい。このようにして、ネットワーク配備の柔軟性を維持しながら、端末デバイスの測定の労力および負担を軽減することができる。【選択図】図２
2021529463.tif 000002
【特許請求の範囲】
【請求項１】
少なくとも１つのコンポーネントキャリアに関連するビームの第１方向を決定するステップと、
前記第１方向に基づいて、前記少なくとも１つのコンポーネントキャリアのコロケーション情報を決定するステップであって、該コロケーション情報は、前記少なくとも１つのコンポーネントキャリアがコロケーションされているかどうかを示す、ステップと、
前記少なくとも１つのコンポーネントキャリアに関連するビームの前記第１方向の前記コロケーション情報および／または情報を端末デバイスに送信するステップと、
を含む、通信方法。
【請求項２】
前記少なくとも１つのコンポーネントキャリアの前記コロケーション情報を決定するステップは、
前記少なくとも１つのコンポーネントキャリアに関連付けられたビームの前記第１方向を、プライマリ・コンポーネントキャリアに関連付けられたビームの第２方向と比較するステップと、
前記比較に基づいて、前記少なくとも１つのコンポーネントキャリアの前記コロケーション情報を決定するステップと、
を含む、請求項１に記載の方法。
【請求項３】
前記少なくとも１つのコンポーネントキャリアの前記コロケーション情報を送信するステップは、
閾値を超える前記第１方向と前記第２方向との間の類似値、および、前記プライマリ・キャリアとコロケーションされた前記少なくとも１つのコンポーネントキャリアに応答して、前記プライマリ・コンポーネントキャリアと同じビーム方向を有する前記少なくとも１つのコンポーネントキャリアを決定するステップと、
前記プライマリ・コンポーネントキャリアとコロケーションされた少なくとも１つのコンポーネントキャリアを示す前記コロケーション情報を前記端末デバイスに送信するステップであって、前記少なくとも１つのコンポーネントキャリアは、前記プライマリ・コンポーネントキャリアと同じビーム方向を有するものである、ステップと、
を含む、請求項２に記載の方法。
【請求項４】
前記少なくとも１つのコンポーネントキャリアの前記コロケーション情報を送信するステップは、
前記第１方向と、前記第２方向との間の類似値が閾値未満であることと、
前記少なくとも１つのコンポーネントキャリアが前記プライマリ・キャリアとコロケーションされていることに応答して、前記プライマリ・コンポーネントキャリアとコロケーションされている前記少なくとも１つのコンポーネントキャリアと、前記プライマリ・コンポーネントキャリアと異なるビーム方向を有する前記少なくとも１つのコンポーネントキャリアとを決定するステップと、
前記プライマリ・コンポーネントキャリアとコロケーションされている前記少なくとも１つのコンポーネントキャリアと、前記プライマリ・コンポーネントキャリアと異なるビーム方向を有する前記少なくとも１つのコンポーネントキャリアとを示す前記コロケーション情報を前記端末デバイスに送信するステップと、
を含む、請求項２に記載の方法。
【請求項５】
前記少なくとも１つのコンポーネントキャリアの前記コロケーション情報を送信するステップは、
閾値を超える前記第１方向と前記第２方向との間の類似値と、前記プライマリ・キャリアとコロケートされていない前記少なくとも１つのコンポーネントキャリアとに応答して、前記プライマリ・コンポーネントキャリアと同じビーム方向を有する前記少なくとも１つのコンポーネントキャリアを決定するステップと、
前記プライマリ・コンポーネントキャリアとコロケートされていない前記少なくとも１つのコンポーネントキャリアと、前記プライマリ・コンポーネントキャリアと同じビーム方向を有する前記少なくとも１つのコンポーネントキャリアと、を示す前記コロケーション情報を前記端末デバイスに送信するステップと、
を含む、請求項２に記載の方法。
【請求項６】
前記少なくとも１つのコンポーネントキャリアのコロケーション情報を決定するステップは、
前記少なくとも１つのコンポーネントキャリアに関連付けられたビームの前記第１方向を、コンポーネントキャリアのセットに関連付けられたビームの第３の方向と比較するステップと、
前記比較に基づいて、前記少なくとも１つのコンポーネントキャリアの前記コロケーション情報を決定するステップと、
を含む、請求項１に記載の方法。
【請求項７】
前記少なくとも１つのコンポーネントキャリアの前記コロケーション情報を送信するステップは、
閾値を超える前記第１方向と前記第３の方向との間の類似値と、前記コンポーネントキャリアのセットとコロケーションされている前記少なくとも１つのコンポーネントキャリアとに応答して、前記コンポーネントキャリアのセットと同じビーム方向を有する前記コンポーネントキャリアのを決定するステップと、
前記コンポーネントキャリアのセットとコロケーションされている前記少なくとも１つのコンポーネントキャリアと、前記コンポーネントキャリアのセットと同じビーム方向を有する前記コンポーネントキャリアの少なくとも１つとを示す前記コロケーション情報と、前記少なくとも１つのコンポーネントキャリアと、前記コンポーネントキャリアのセットとのインデックスを含む前記コロケーション情報とを前記端末デバイスに送信するステップと、
を含む、請求項６に記載の方法。
【請求項８】
少なくとも１つのコンポーネントキャリアおよび前記コンポーネントキャリアのセットからプライマリ・コンポーネントキャリアを決定するステップと、
前記決定されたプライマリ・コンポーネントキャリアのインデックスを含む前記コロケーション情報を端末デバイスに送信するステップと、
をさらに備える、請求項７に記載の方法。
【請求項９】
少なくとも１つのコンポーネントキャリアのコロケーション情報、および／または、前記少なくとも１つのコンポーネントキャリアに関連する第１方向のビームの情報をネットワークデバイスから受信するステップであって、該コロケーション情報は、前記少なくとも１つのコンポーネントキャリアがコロケーションしているかどうかを示す、ステップと、
前記コロケーション情報および／またはビームの前記第１方向の前記情報に基づいて、前記少なくとも１つのコンポーネントキャリアの通信測定の要件を決定するステップと、
前記決定された要件に基づいて、前記少なくとも１つのコンポーネントキャリア上で前記通信測定を実行するステップと、
を備える、通信方法。
【請求項１０】
前記要件を決定するステップは、
別のコンポーネントキャリアとコロケートされた前記少なくとも１つのコンポーネントキャリア、および、前記別のコンポーネントキャリアと同じビーム方向を有する少なくとも１つのコンポーネントキャリアを決定することに応答して、前記通信測定の値がヌルであること、基準信号受信電力および基準信号受信品質、受信信号強度標示のみを含む測定パラメータ、および、１つの同期ブロックを含む測定パラメータのうちの少なくとも１つを除外する測定パラメータのうちの１つを示す前記要件を決定するステップ
を含む、請求項９に記載の方法。
【請求項１１】
前記コンポーネントキャリアのセットとコロケーションされている前記少なくとも１つのコンポーネントキャリアを決定することに応答して、少なくとも１つのコンポーネントキャリアおよび前記コンポーネントキャリアのセットからプライマリ・コンポーネントキャリアを決定するステップをさらに含む、請求項９に記載の方法。
【請求項１２】
前記要件を決定するステップは、
前記少なくとも１つのコンポーネントキャリアを除外する前記プライマリ・コンポーネントキャリアに応答して、前記通信測定の値がヌルであること、基準信号受信電力および基準信号受信品質のうちの少なくとも１つを除外する測定パラメータ、受信信号強度標示のみを含む測定パラメータ、および、前記少なくとも１つのコンポーネントキャリアの上の１つの同期ブロックを含む測定パラメータのうちの１つを示すための前記要件を決定するステップ
を含む、請求項１１に記載の方法。
【請求項１３】
前記要件を決定するステップは、
前記コンポーネントキャリアのセットとコロケーションされている前記少なくとも１つのコンポーネントキャリアと、前記コンポーネントキャリアのセットと同じビーム方向を有する前記少なくとも１つのコンポーネントキャリアとの少なくとも１つを決定することに応答して、少なくとも１つのコンポーネントキャリアおよび前記コンポーネントキャリアのセットからプライマリ・コンポーネントキャリアを決定するステップと、
前記プライマリ・コンポーネントキャリアである前記少なくとも１つのコンポーネントキャリアに応答して、基準信号受信電力、基準信号受信品質受信信号強度標示のうちの少なくとも１つを含む測定パラメータと、および前記少なくとも１つのコンポーネントキャリアの上の２つ以上の同期ブロックのうちの１つを示すための前記要件を決定するステップと、
隣接セル探索を実行するステップと、
を含む、請求項１１に記載の方法。
【請求項１４】
前記コロケーション情報は、前記決定されたプライマリ・コンポーネントキャリアのインデックスを含む、請求項１１に記載の方法。
【請求項１５】
前記要件を決定するステップは、
別のコンポーネントキャリアとコロケーションされていない少なくとも１つのコンポーネントキャリアと、前記別のコンポーネントキャリアとは異なるビーム方向を有する前記少なくとも１つのコンポーネントキャリアのうちの少なくとも１つとを決定することに応答して、基準信号受信電力、基準信号受信品質受信信号強度標示、および、前記少なくとも１つのコンポーネントキャリアの上の２つ以上の同期ブロックのうちの少なくとも１つを含む測定パラメータのうちの１つを示すための前記要件を決定するステップと、
隣接セル探索を実行するステップと、
を含む、請求項９に記載の方法。
【請求項１６】
少なくとも１つのプロセッサと、該少なくとも１つのプロセッサに結合されたメモリとを備えるネットワークデバイスであって、前記メモリは命令を格納し、該命令は、前記少なくとも１つのプロセッサによって実行されると、前記ネットワークデバイスに、
少なくとも１つのコンポーネントキャリアに関連付けられたビームの第１方向を決定するステップと、
前記第１方向に基づいて前記少なくとも１つのコンポーネントキャリアのコロケーション情報を決定するステップであって、該コロケーション情報は、前記少なくとも１つのコンポーネントキャリアがコロケーションされているかどうかを示すものである、ステップと、
前記コロケーション情報および／または前記少なくとも１つのコンポーネントキャリアに関連付けられたビームの前記第１方向の情報を端末デバイスに送信するステップと、
を含む動作を実行させる、ネットワークデバイス。
【請求項１７】
前記少なくとも１つのコンポーネントキャリアの前記コロケーション情報を決定するステップは、
前記少なくとも１つのコンポーネントキャリアに関連付けられたビームの前記第１方向を、プライマリ・コンポーネントキャリアに関連付けられたビームの第２方向と比較するステップと、
前記比較に基づいて、前記少なくとも１つのコンポーネントキャリアの前記コロケーション情報を決定するステップと、
を含む、請求項１６に記載のネットワークデバイス。
【請求項１８】
前記少なくとも１つのコンポーネントキャリアの前記コロケーション情報を送信するステップは、
閾値を超える前記第１方向と前記第２方向との間の類似値、および、前記プライマリ・キャリアとコロケーションされた前記少なくとも１つのコンポーネントキャリアに応答して、前記プライマリ・コンポーネントキャリアと同じビーム方向を有する前記少なくとも１つのコンポーネントキャリアを決定するステップと、
前記プライマリ・コンポーネントキャリアとコロケーションされた少なくとも１つのコンポーネントキャリアと、前記プライマリ・コンポーネントキャリアと同じビーム方向を有する前記少なくとも１つのコンポーネントキャリアと、を示す前記コロケーション情報を前記端末デバイスに送信するステップと、
を含む、請求項１７に記載のネットワークデバイス。
【請求項１９】
前記少なくとも１つのコンポーネントキャリアの前記コロケーション情報を送信するステップは、
前記第１方向と、閾値未満である前記第２方向との間の類似値、および、前記少なくとも１つのコンポーネントキャリアが前記プライマリ・キャリアとコロケートされることと、に応答して、前記少なくとも１つのコンポーネントキャリアが、前記プライマリ・コンポーネントキャリアとコロケートされること、および、前記少なくとも１つのコンポーネントキャリアが、前記プライマリ・コンポーネントキャリアと異なるビーム方向を有することを決定するステップと、
前記少なくとも１つのコンポーネントキャリアが前記プライマリ・コンポーネントキャリアとコロケートされること、および、前記少なくとも１つのコンポーネントキャリアが、前記プライマリ・コンポーネントキャリアと異なるビーム方向を有することを示す前記コロケーション情報を前記端末デバイスに送信するステップと、
を含む、請求項１７に記載のネットワークデバイス。
【請求項２０】
前記少なくとも１つのコンポーネントキャリアの前記コロケーション情報を送信するステップは、
前記第１方向と、閾値を超える前記第２方向との間の類似値、および、前記プライマリ・キャリアとコロケートされていない前記少なくとも１つのコンポーネントキャリアとに応答して、前記プライマリ・コンポーネントキャリアと同じビーム方向を有する前記少なくとも１つのコンポーネントキャリアを決定するステップと、
前記プライマリ・コンポーネントキャリアとコロケートされていない前記少なくとも１つのコンポーネントキャリアと、前記プライマリ・コンポーネントキャリアと同じビーム方向を有する前記少なくとも１つのコンポーネントキャリアとを示す前記コロケーション情報を前記端末デバイスに送信するステップと、
を含む、請求項１７に記載のネットワークデバイス。
【請求項２１】
前記少なくとも１つのコンポーネントキャリアの前記コロケーション情報を決定するステップは、
前記少なくとも１つのコンポーネントキャリアに関連付けられたビームの前記第１方向を、コンポーネントキャリアのセットに関連付けられたビームの第３の方向と比較するステップと、
前記比較に基づいて、前記少なくとも１つのコンポーネントキャリアの前記コロケーション情報を決定するステップと、
を含む、請求項１６に記載のネットワークデバイス。
【請求項２２】
前記少なくとも１つのコンポーネントキャリアの前記コロケーション情報を送信するステップは、
前記第１方向と、閾値を超える前記第３の方向との間の類似値、および、前記コンポーネントキャリアのセットとコロケーションされている前記少なくとも１つのコンポーネントキャリアに応答して、前記コンポーネントキャリアのセットと同じビーム方向を有する前記少なくとも１つのコンポーネントキャリアを決定するステップと、
前記コンポーネントキャリアのセットとコロケーションされている前記少なくとも１つのコンポーネントキャリアと、前記コンポーネントキャリアのセットと同じビーム方向を有する前記少なくとも１つのコンポーネントキャリアとを示す前記コロケーション情報と、前記少なくとも１つのコンポーネントキャリアおよび前記コンポーネントキャリアのセットのインデックスを含む前記コロケーション情報とを前記端末デバイスに送信するステップと、
を含む、請求項２１に記載のネットワークデバイス。
【請求項２３】
前記動作は、
少なくとも１つのコンポーネントキャリアおよび前記コンポーネントキャリアのセットからプライマリ・コンポーネントキャリアを決定するステップと、
前記決定されたプライマリ・コンポーネントキャリアのインデックスを含む前記コロケーション情報を前記端末デバイスに送信するステップと、
をさらに備える、請求項２１に記載のネットワークデバイス。
【請求項２４】
少なくとも１つのプロセッサと、該少なくとも１つのプロセッサに結合されたメモリとを備える端末デバイスであって、前記メモリは、命令を格納し、該命令は、前記少なくとも１つのプロセッサによって実行されると、
ネットワークデバイスから、前記少なくとも１つのコンポーネントキャリアに関連付けられたコロケーション情報および／または第１方向のビームの情報と、少なくとも１つのコンポーネントキャリアに関連付けられた第１方向のビームの情報とを受信するステップと、
前記コロケーション情報およびビームの前記第１方向の前記情報のうちの少なくとも１つに基づいて、前記少なくとも１つのコンポーネントキャリアの通信測定の要件を決定するステップと、
前記決定された要件に基づいて、前記少なくとも１つのコンポーネントキャリアの上で前記通信測定を実行するステップと、
を含む動作を前記端末デバイスに実行させる、端末デバイス。
【請求項２５】
前記要件を決定する前記ステップは、
別のコンポーネントキャリアとコロケーションされている少なくとも１つのコンポーネントキャリアと、前記別のプライマリ・コンポーネントキャリアと同じビーム方向を有する少なくとも１つのコンポーネントキャリアとのうちの少なくとも１つを決定することに応答して、前記通信測定の値がヌルであること、基準信号受信電力および基準信号受信品質のうちの少なくとも１つを除く測定パラメータ、受信信号強度標示を含むのみの測定パラメータ、および、１つの同期ブロックを含む測定パラメータのうちの１つを示すための前記要件を決定するステップ
を含む、請求項２４に記載の端末デバイス。
【請求項２６】
前記動作は、前記コンポーネントキャリアのセットとコロケーションされているコンポーネントキャリアのうちの前記少なくとも１つを決定することに応答して、少なくとも１つのコンポーネントキャリアおよび前記コンポーネントキャリアのセットから、プライマリ・コンポーネントキャリアを決定するステップをさらに備える、請求項２４に記載の端末デバイス。
【請求項２７】
前記要件を決定するステップは、
前記プライマリ・コンポーネントキャリアに応答して、前記少なくとも１つのコンポーネントキャリアを除外するステップと、
前記通信測定の値がヌルであること、測定パラメータが、基準信号受信電力および基準信号受信品質のうちの少なくとも１つを除外すること、受信信号強度標示を含むのみである測定パラメータ、および前記少なくとも１つのコンポーネントキャリアの上の１つの同期ブロックを含む測定パラメータのうちの１つを示すために前記要件を決定するステップと、
を含む、請求項２６に記載の端末デバイス。
【請求項２８】
前記要件を決定するステップは、
前記コンポーネントキャリアのセットとコロケーションされているコンポーネントキャリア、および、前記コンポーネントキャリアのセットと同じビーム方向を有する前記少なくとも１つのコンポーネントキャリアのうちの少なくとも１つとを決定することに応答して、前記少なくとも１つのコンポーネントキャリアおよび前記コンポーネントキャリアのセットからプライマリ・コンポーネントキャリアを決定するステップと、
前記少なくとも１つのコンポーネントキャリアが前記プライマリ・コンポーネントキャリアであることに応答して、基準信号受信電力、基準信号受信品質受信信号強度標示、および前記少なくとも１つのコンポーネントキャリアの上の２つ以上の同期ブロックのうちの少なくとも１つを含む測定パラメータのうちの１つを示すための前記要件を決定するステップと、
隣接セル探索を実行するステップと、
を含む、請求項２６に記載の端末デバイス。
【請求項２９】
前記コロケーション情報は、前記決定されたプライマリ・コンポーネントキャリアのインデックスを含む、請求項２６に記載の端末デバイス。
【請求項３０】
前記要件を決定するステップは、
別のコンポーネントキャリアとコロケーションされていない少なくとも１つのコンポーネントキャリア、および、前記別のコンポーネントキャリアと異なるビーム方向を有する前記少なくとも１つのコンポーネントキャリアのうちの少なくとも１つとを決定することに応答して、基準信号受信電力、基準信号受信品質受信信号強度標示、および前記少なくとも１つのコンポーネントキャリアの上の２つ以上の同期ブロックのうちの少なくとも１つを含む測定パラメータのうちの１つを示すための前記要件を決定するステップと、
隣接セル探索を実行するステップと、
を含む、請求項２４に記載の端末デバイス。
【請求項３１】
命令を格納するコンピュータ可読媒体であって、該命令は、マシンの少なくとも１つの処理ユニットによって実行されると、請求項１ないし８のいずれか１項に記載の方法を該マシンに実行させる、コンピュータ可読媒体。
【請求項３２】
命令を格納するコンピュータ可読媒体であって、該命令は、マシンの少なくとも１つの処理ユニットによって実行されると、請求項９ないし１５のいずれか１項に記載の方法を該マシンに実行させる、コンピュータ可読媒体。
【発明の詳細な説明】
【技術分野】
【０００１】
本開示の実施形態は一般に、通信技術に関し、より詳細には、通信測定のための方法、デバイス、およびコンピュータ可読媒体に関する。
【背景技術】
【０００２】
ＬＴＥ（Ｌｏｎｇ  Ｔｅｒｍ  Ｅｖｏｌｖｅｄ）通信システムまたは第５世代無線システム（５Ｇ）などの通信システムにおいて、キャリアアグリゲーションのシナリオでは、端末デバイスが、キャリア成分上で通信測定を実行する必要がある。キャリア成分の測定に関するさらなる研究が依然として必要とされている。
【発明の概要】
【０００３】
一般に、本開示の実施形態は、通信測定値の変調のための方法、ならびに対応するネットワークデバイスおよび端末デバイスに関する。
【０００４】
第１の態様では、本開示の実施形態が通信のためにネットワークデバイスにおいて実施される方法を提供する。この方法は、少なくとも１つのコンポーネントキャリアに関連するビームの第１方向を決定することを含む。本方法はまた、第１方向に基づいて少なくとも１つのコンポーネントキャリアのコロケーション情報を決定することを含む。コロケーション情報は、少なくとも１つのコンポーネントキャリアがコロケーションされているかどうか、および、少なくとも１つのコンポーネントキャリアに関連するビーム方向の情報を示す。本方法は、少なくとも１つのコンポーネントキャリアのコロケーション情報を端末デバイスに送信するステップをさらに含む。
【０００５】
第２の態様では、本開示の実施形態が通信のために端末デバイスにおいて実装される方法を提供する。この方法はネットワークデバイスから、少なくとも１つのコンポーネントキャリアのコロケーション情報を受信することを含む。コロケーション情報は少なくとも１つのコンポーネントキャリアがコロケーションされているかどうかを示し、少なくとも１つのコンポーネントキャリアに関連するビーム方向の情報を示す。この方法は、また、コロケーション情報およびビームの第１方向の情報のうちの少なくとも１つに基づいて、少なくとも１つのコンポーネントキャリアの通信測定の要件を決定することを含む。この方法は、決定された要件に基づいて、少なくとも１つのコンポーネントキャリア上で通信測定を実行することをさらに含む。
【０００６】
第３の態様では、本開示の実施形態がネットワークデバイスを提供する。ネットワークデバイスは、少なくとも１つのプロセッサと、少なくとも１つのプロセッサに結合されたメモリとを備え、メモリは命令を格納し、この命令は少なくとも１つのプロセッサによって実行されると、ネットワークデバイスに、少なくとも１つのコンポーネントキャリアに関連するビームの第１方向を決定することを含む動作を実行させる。動作はまた、第１方向に基づいて少なくとも１つのコンポーネントキャリアのコロケーション情報を決定することを含む。コロケーション情報は、少なくとも１つのコンポーネントキャリアがコロケーションされているかどうかを示す。動作は、コロケーション情報と、少なくとも１つのコンポーネントキャリアに関連付けられたビームの第１方向の情報とを端末デバイスに送信することをさらに含む。
【０００７】
第４の態様では、本開示の実施形態が端末デバイスを提供する。前記端末デバイスは、少なくともプロセッサと、前記少なくとも１つのプロセッサに結合されたメモリと、を備え、該メモリは、命令を格納し、該命令は、前記少なくとも１つのプロセッサによって実行されたときに、前記端末デバイスに、ネットワークデバイスから、少なくとも１つのコンポーネントキャリアのコロケーション情報を受信することを含む動作を実行させる。この動作はまた、コロケーション情報およびビームの第１方向の情報のうちの少なくとも１つに基づいて、少なくとも１つのコンポーネントキャリアの通信測定の要件を決定することを含む。この動作は、判定された要件に基づいて、少なくとも１つのコンポーネントキャリア上で通信測定を実行することをさらに含む。
【０００８】
第５の態様では、本開示の実施形態が通信のための装置を提供する。該デバイスは、第１の態様による該方法を実行するための手段を含む。
【０００９】
第６の態様では、本開示の実施形態が通信のための装置を提供する。該装置は、第２の態様による該方法を実行するための手段を含む。
【００１０】
第７の態様では、本開示の実施形態がコンピュータ可読媒体を提供する。コンピュータ可読媒体は、その上に命令を格納し、命令は、マシンの少なくとも１つの処理ユニットによって実行されると、マシンに第１の態様による方法を実施させる。
【００１１】
第８の態様では、本開示の実施形態がコンピュータ可読媒体を提供する。コンピュータ可読媒体はその上に命令を格納し、命令は、マシンの少なくとも１つの処理ユニットによって実行されると、マシンに第２の態様による方法を実施させる。
【００１２】
本開示の実施形態の他の特徴および利点はまた、本開示の実施形態の原理を例として示す添付の図面と併せて読まれるとき、特定の実施形態の以下の説明から明らかになる。
【図面の簡単な説明】
【００１３】
本開示の実施形態は例の意味で提示され、それらの利点は添付の図面を参照して以下でより詳細に説明される。
【図１】図１は本開示の実施形態による通信システム、本開示の実施形態によるデバイスおよびネットワークデバイスの模式図を示す。
【図２】図２は、本開示の実施形態による、通信のためのネットワークデバイスにおいて実施される方法のフローチャートを示す。
【図３】図３は本開示の実施形態による通信のための端末デバイスにおいて実装される方法のフローチャートを示す。
【図４】図４は、本開示の実施形態によるデバイスの模式図を示す。図面全体を通して、同じまたは類似の参照番号は、同じまたは類似の要素を示す。
【発明を実施するための形態】
【００１４】
ここで、本明細書で説明される主題は、いくつかの例示的な実施形態を参照して論じられる。これらの実施形態は、サブジェクトマターの範囲に対する任意の限定を示唆するのではなく、当業者が本明細書に記載されたサブジェクトマターをより良く理解し、したがって実施することを可能にする目的のためにのみ議論されることを理解されたい。
【００１５】
本明細書で使用される用語は特定の実施形態を説明するためだけのものであり、例示的な実施形態を限定することを意図するものではない。本明細書で使用される場合、単数形「ａ」、「ａｎ」、および「ｔｈｅ」は文脈が、明確にそうでないことを示さない限り、複数形も含むことが意図される。さらに、用語「備える（ｃｏｍｐｒｉｓｅｓ、ｃｏｍｐｒｉｓｉｎｇ）、「含む（ｉｎｃｌｕｄｅｓ、および／または、ｉｎｃｌｕｄｉｎｇ）」は、本明細書で使用される場合、述べられた特徴、整数、ステップ、動作、要素、および／または、コンポーネントの存在を指定するが、１つ以上の他の特徴、整数、ステップ、動作、要素、および／または、コンポーネント、および／または、それらのグループの存在、または、付加を除外するものではないことが理解される。
【００１６】
また、いくつかの代替の実装形態では、注記された機能／動作が図に注記された順序とは異なる順序で行われてもよいことに留意されたい。例えば、連続して示される２つの機能または動作は、実際には関与する機能／動作に応じて、同時に実行されてもよく、または時には逆の順序で実行されることができる。
【００１７】
本明細書で使用されるように、「通信ネットワーク」という用語は、ロングタームエボリューション（ＬＴＥ）、ＬＴＥアドバンスト（ＬＴＥ−Ａ）、広帯域符号分割多元接続（ＷＣＤＭＡ）、高速パケットアクセス（ＨＳＰＡ）などの任意の適切な通信規格に従うネットワークを指す。さらに、通信ネットワーク内の端末デバイスとネットワークデバイスとの間の通信は、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）通信プロトコル、および／または現在知られているかまたは将来開発される他の任意のプロトコルを含むが、これらに限定されない、任意の適切な世代の通信プロトコルに従って実行され得る。
【００１８】
本開示の実施形態は、様々な通信システムに適用することができる。通信の急速な発展を考えると、当然ながら、本開示を実施することができる将来のタイプの通信技術およびシステムも存在する。本開示の技術的範囲を前述のシステムのみに限定するものと見なされるべきではない。
【００１９】
「ネットワークデバイス」という用語は基地局（ＢＳ）、ゲートウェイ、管理エンティティ、および通信システム内の他の適切なデバイスを含むが、これらに限定されない。「基地局」または「ＢＳ」という用語はノードＢ（ＮｏｄｅＢまたはＮＢ）、進化型ノードＢ（ｅＮｏｄｅＢまたはｅＮＢ）、リモート無線ユニット（ＲＲＵ）、無線ヘッダ（ＲＨ）、リモート無線ヘッド（ＲＲＨ）、リレー、フェムトなどの低電力ノード、ピコなどを表す。
【００２０】
用語「端末デバイス」は「ユーザ機器（ＵＥ）」およびネットワークデバイスと通信することができる他の適切なエンドデバイスを含むが、これに限定されない。例として、「端末デバイス」は端末、移動端末（ＭＴ）、加入者局（ＳＳ）、携帯加入者局、移動局（ＭＳ）、またはアクセス端末（ＡＴ）を指すことができる。
【００２１】
本明細書で使用される用語「周波数内測定」は、ターゲットセルが端末デバイスの現在のサービングセルと同じ周波数帯域にある場合にサービングセルおよび／またはターゲットセルの信号品質を測定することを指し、本明細書で使用される用語「帯域間測定」は、ターゲットセルが端末デバイスの現在のサービングセルと異なる周波数帯域にある場合にターゲットセルの信号品質を測定することを指す。
【００２２】
ここで使用される「コンポーネントキャリア」という用語はキャリアアグリゲーションにおける各キャリアを指し、ここで使用される「プライマリ・コンポーネントキャリア」という用語は、任意のグループにおけるメインキャリアを指す。
【００２３】
上述したように、端末デバイスは、キャリア成分についての通信測定を行う必要がある。測定条件については、以下のような合意が得られている。本明細書で使用される用語「ＦＲ１」は６ＧＨｚ未満の周波数範囲を指し、本明細書で使用される用語「ＦＲ２」は、２４ＧＨｚを超える周波数範囲を指す。
【００２４】
ＦＲ１の要件
【００２５】
各周波数内レイヤについて、端末デバイスは、少なくとも８セルを監視することができるものとする。各周波数内レイヤについて、各レイヤ測定期間中に、端末デバイスは周波数内レイヤ上の異なるＳＳＢインデックスおよび／またはＰＣＩを用いて少なくとも１４のＳＳＢ（同期ブロック）を監視することができなければならず、サービングセル（セカンダリセル、ＳＣｅｌｌを除く）内のＳＢＢの数は、構成された無線リンク監視基準信号（ＲＬＭ−ＲＳ）ＳＳＢリソースの数よりも小さくない。
【００２６】
ＦＲ２の要件
【００２７】
各周波数内レイヤについて、端末デバイスは同じ帯域に構成されたすべてのサービングキャリアのうち、単一のサービングキャリア上の少なくとも６つのセルを監視することが可能である。
【００２８】
各周波数内レイヤについて、各レイヤ測定期間中に、端末デバイスは、同じ帯域内に構成されたすべてのサービングキャリアのうち、単一のサービングキャリア（例えば、ＰＣＣまたはＰＳＣＣ、または、ＰＣＣ／ＰＳＣＣがＳＣＣとは異なる帯域内にある場合には１つのＳＣＣ）上で、異なるＳＳＢインデックスおよび／またはＰＣＩを有する少なくとも２４のＳＳＢをモニタリングすることができなければならない。端末デバイスは、同じ帯域内の他のサービングキャリアのそれぞれについて、サービングセル上の１〜４個のＳＳＢを監視することができるものとする。端末デバイスは、上述のすべてのＳＳＢ上で基準信号受信電力（ＲＳＲＰ）および／または基準信号受信品質（ＲＳＲＱ）を実行することができるものとする。
【００２９】
これらの合意から、端末デバイスは、１つのメインコンポーネントキャリアを除いて、帯域内セカンダリコンポーネントキャリアに対してセル検出を行わない場合があることが分かる。さらに、端末デバイスが帯域内セカンダリコンポーネントキャリアごとに、ｌ、２、３、または４つのＳＳＢベースのビームを測定することができるかどうかは、合意されていない。
【００３０】
さらに、通信測定は、端末デバイスに負担をかける可能性がある。特に、２４０ｋＨｚのＳＳＢに対する測定帯域幅が、末端デバイス側の高サンプリングレートとメモリ要件につながるＦＲ２を考慮する。さらに、ＮＲ（Ｎｅｗ  Ｒａｄｉｏ）に関する初期フェーズには、最大８００ＭＨｚをカバーする最大８つのコンポーネントキャリアの帯域内キャリアアグリゲーションが含まれることが決定されている。このように、末端デバイス全体の複雑さと電力消費を低減するために末端デバイス測定要件をいかに制限するかの研究がなされる必要がある。
【００３１】
従来の技術では、ＮＲ（Ｎｅｗ  Ｒａｄｉｏ）コンバータの初期段階として、帯域内キャリアアグリゲーション（ＣＡ）を８成分まで伝送するため、端末デバイスは帯域ごとに１成分のキャリアを測定するだけでよく、同じ帯域内の他のコンポーネントキャリア（周波数内ＣＣ）を測定する必要はない。しかしながら、上記のソリューションでは、ネットワークが他のコンポーネントキャリアからの負荷情報を、それらが測定されない限り、どのように受信することができるかが疑問視される。
【００３２】
端末デバイスが監視する必要があるＳＳＢベースのビームの数は、まだ決定されていない。従来の技術では、端末デバイスが１つの帯域内コンポーネントキャリアを測定する場合、この１つのコンポーネントキャリアの測定結果は測定されたコンポーネントキャリアと同じ帯域内の他のすべてのコンポーネントキャリアに関する任意の測定値を表すことができる。すなわち、端末デバイスは１つの帯域内コンポーネントキャリアに対して測定を行う必要があり、かつ、プライマリ・コンポーネントキャリア以外の任意の他の帯域内コンポーネントキャリアを測定する必要がない。しかしながら、上記のソリューションはネットワーク配備に依存し、一般的な端末デバイス測定要件を開発するための一般的な仮定として使用することができない。
【００３３】
さらに、従来の技術では、すべての帯域内コンポーネントキャリアが同一の指向性（または方向）を有し、同一または類似のカバレッジ（例えば、同一の送信電力および同一のビームカバレッジパターン）を有するようにコロケーションされる場合、端末デバイスの測定労力および負担を低減することができる。しかしながら、上記のソリューションは、ネットワークのさらなる展開には制限が大きすぎる可能性がある。
【００３４】
また、端末デバイスの測定性能や測定支援情報の情報に関して、ネットワーク側で何が必要であるかが不明である。
【００３５】
従来の技術では、ＬＴＥキャリアアグリゲーションにおいて、端末デバイスは通信測定要件に従って、活性化ＳＣｅｌｌよりも非活性化ＳＣｅｌｌのための異なる測定周期で、任意の構成された構成要素キャリアを測定することができる。これらの要件は、ＮＲ（ｎｅｗ  ｒａｄｉｏ）のためのベースラインであると仮定されることができる。しかしながら、現在の合意では、これらの要件は適切ではない。
【００３６】
上記および他の潜在的な問題を少なくとも部分的に解決するために、本開示の実施形態は、ＮＲ（Ｎｅｗ  Ｒａｄｉｏ）管理測定のための解決策を提供する。ここで、本開示のいくつかの例示的な実施形態を、図面を参照して以下に説明する。しかしながら、当業者は、これらの図面に関して本明細書で与えられる詳細な説明が、本開示がこれらの限定された実施形態を超えて広がるので、説明の目的のためであることを容易に理解する。
【００３７】
図１は、本開示の実施形態を実施することができる通信システムの模式図を示す。通信ネットワークの一部である通信システム１００は、ネットワークデバイス１２０と、１つ以上の端末デバイス１１０−１および１１０−２とを含む。通信システム１００は、任意の適切な数の端末デバイスを含むことができることを理解されたい。通信システム１００はまた、明確にするために省略される他の要素を含むことができることに留意する。ネットワークデバイス１２０は、端末デバイス１１０と通信することができる。なお、図１に示すネットワークデバイスおよび端末デバイスの数は例示のためのものであり、これに限定されるものではない。通信システム１００は、任意の適切な数のネットワークデバイスおよび端末デバイスを含み得る。
【００３８】
通信システム１００における通信は、第１世代（１Ｇ）、第２世代（２Ｇ）、第３世代（３Ｇ）、第４世代（４Ｇ）および第５世代（５Ｇ）などのセルラ通信プロトコル、ＩＥＥＥ（Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ）８０２．１１などのワイヤレスローカルネットワーク通信プロトコル、および／または現在知られているかまたは将来開発される他の任意のプロトコルを含むが、これらに限定されない、任意の適切な通信プロトコルに従って実装され得る。さらに、通信は、符号分割多重アドレス（ＣＤＭＡ）、周波数分割多重アドレス（ＦＤＭＡ）、時分割多重アドレス（ＴＤＭＡ）、周波数分割デュプレクサ（ＦＤＤ）、時分割デュプレクサ（ＴＤＤ）、多入力多出力（ＭＩＭＯ）、直交周波数分割多重アクセス（ＯＦＤＭＡ）、および／または現在知られている、または将来開発される任意の他の技術を含むが、これらに限定されない、任意の適切なワイヤレス通信技術を利用することができる。
【００３９】
本開示の実施形態によれば、ネットワークデバイス１２０は、コンポーネントキャリアのコロケーション情報を端末デバイス１１０に送信することができる。例えば、ネットワークデバイス１２０は、端末デバイス１１０がコンポーネントキャリア（ＣＣ）（例えば、帯域内ＣＣ）に対して同じチャネル条件をとることができ、したがって、端末デバイス１１０が、プライマリＣＣと比較していくつかのＣＣ上の測定要件を緩和することが可能である場合、端末デバイス１ｌ０に示す。端末デバイス１１０は、コロケーション情報に基づいて測定を行ってもよい。このようにして、ネットワーク配備の柔軟性を維持しながら、端末デバイス１１０の測定の労力および負担を軽減することができる。
【００４０】
本開示の実施形態は限定ではなく例示の目的のみのために、帯域内測定を用いて説明されることに留意する。当業者は、本開示の実施形態が何らかの適切な通信測定を用いて実施され得ることを理解する。例えば、測定は、帯域内測定、帯域間測定および無線資源管理（ＲＲＭ）測定のうちの少なくとも１つを含み得る。本開示は、この態様に限定されない。
【００４１】
図２は、本開示の実施形態による方法２００のフローチャートを示す。方法２００は、ネットワークデバイス１２０において実施されることができる。
【００４２】
ブロック２１０において、ネットワークデバイス１２０は、１つ以上のコンポーネントキャリアに関連付けられたビームの第１方向を決定する。いくつかの実施形態では、ネットワークデバイス１２０が送信されたアンテナの方向に基づいて第１方向を決定することができる。
【００４３】
ブロック２２０で、ネットワークデバイス１２０は、１つ以上のコンポーネントキャリアのコロケーション情報を決定する。コロケーション情報は、１つ以上のコンポーネントキャリアが他のコンポーネントキャリアとコロケーションされているかどうか、および少なくとも１つのコンポーネントキャリアに関連するビーム方向の情報を示す。２つのコンポーネントキャリアが互いにコロケーションされている場合、それらは同じチャンネル状態を有することを意味する。ネットワークデバイス１２０は、コンポーネントキャリアが互いにコロケーションされているかどうかを、それらの構成に基づいて決定することができる。コロケーション情報はまた、準コロケーション（ＱＣＬ）情報を含むことができる。
【００４４】
一実施形態によると、ネットワークデバイス１２０は、１つ又は複数の構成要素キャリアの第１方向を、一次構成要素キャリアに関連付けられたビームの第２方向と比較することができる。
【００４５】
第１方向と第２方向との間の類似度値が閾値類似度を超える場合、ネットワークデバイス１２０は、１つ以上のコンポーネントキャリアがプライマリ・コンポーネントキャリアとコロケーションされ、同じビーム方向を有すると判定することができる。第１方向と第２方向との間の類似度値が閾値類似度を超えない場合、ネットワークデバイス１２０は、１つ以上のコンポーネントキャリアがプライマリ・コンポーネントキャリアとコロケーションされていないか、またはコロケーションされているが、同じビーム方向を有していないと判定することができる。
【００４６】
他の実施形態では、ネットワークデバイス１２０が第１方向を、１組のコンポーネントキャリアに関連付けられた第３の方向のビームと比較することができる。第１方向と第３の方向との間の類似性値が閾値を超える場合、ネットワークデバイス１２０は、１つ以上のコンポーネントキャリアおよびコンポーネントキャリアのセットが同じビーム方向またはビーム角度を有するコロケーションされたグループとしてグループ化され得ることを決定し得る。他の実施形態では、１つ以上のコンポーネントキャリアおよびコンポーネントキャリアのセットが同じビーム方向またはビーム角度なしに、コロケーションされたグループとしてグループ化することができる。
【００４７】
ブロック２３０で、ネットワークデバイス１２０は、１つ以上のコンポーネントキャリアのうちの少なくとも１つのコンポーネントキャリアに関連するコロケーション情報および第１方向のビームの情報のうちの少なくとも１つを端末デバイス１１０に送信する。いくつかの実施形態では、ネットワークデバイス１２０がコンポーネントキャリアのコロケートされたグループからプライマリ・コンポーネントキャリアを決定する。端末デバイス１２０は下記の表１に示すように、決定されたプライマリ・コンポーネントキャリアの情報を送信することができる。
【表１−１】
2021529463.tif 000003
【表１−２】
2021529463.tif 000004
【００４８】
いくつかの実施形態では、ネットワークデバイス１２０が、端末デバイス１１０が１つ以上のコンポーネントキャリアを明示的に測定する必要があるかどうかを端末デバイス１１０に直接示すことができる。そのような標示は、明示的にシグナリングされることができる。あるいは、そのような標示が既存のｍｅａｓＣｙｃｌｅＳｃｅｌｌを介して送信されることができる。以下に示す表２は、信号の一例である。
【表２−１】
2021529463.tif 000005
【表２−２】
2021529463.tif 000006
【００４９】
あるいは、ネットワークデバイス１２０が、端末デバイス１１０がコンポーネントキャリアを明示的に測定する必要があるか否かを示すことができる。そのような標示は明示的にシグナリングされてもよく、またはコンポーネントキャリア（例えば、ｍｅａｓＣｙｃｌｅＳｃｅｌｌ）のための任意の測定サイクルを構成しないことによって行われてもよい。以下に示す表３は、信号の一例である。
【表３】
2021529463.tif 000007
【００５０】
いくつかの実施形態では、ネットワークデバイス１２０が１つ以上のコンポーネントキャリアが他のコンポーネントキャリアとコロケーションされていると判定した場合、コロケーション情報は１つ以上のコンポーネントキャリアが他のコンポーネントキャリアとコロケーションされていることを示すことができる。他の実施形態では、ネットワークデバイス１２０が１つ以上のコンポーネントキャリアが他のコンポーネントキャリアとコロケーションされていないと判定した場合、コロケーション情報は１つ以上のコンポーネントキャリアが他のコンポーネントキャリアとコロケーションされていないことを示すことができる。いくつかの実施形態では、他のコンポーネントキャリアがプライマリ・コンポーネントキャリアであってもよい。
【００５１】
例示的な実施形態では、ネットワークデバイス１２０が１つ以上のコンポーネントキャリアおよびコンポーネントキャリアのセットが同じコロケートされた基に属すると判定した場合、コロケーション情報は１つ以上のコンポーネントキャリアのインデックスおよびコンポーネントキャリアのセットを備えることができる。
【００５２】
上述のように、コロケーション情報は、端末デバイス１１０が１つ以上のコンポーネントキャリア上で通信測定を実行する必要があるかどうかを示す標示を参照することもできる。
【００５３】
他の実施形態では、コロケーション情報が１つ以上のコンポーネントキャリアの測定要件も含むことができ、これについては後述する。
【００５４】
図３は、方法３００のフローチャートを示す。方法３００は、端末デバイス１１０で実施することができる。
【００５５】
ブロック３１０において、端末デバイス１１０は、少なくとも１つのコンポーネントキャリアのコロケーション情報および／または少なくとも１つのコンポーネントキャリアに関連する第１方向のビームの情報をネットワークデバイス１１０から受信する。いくつかの実施形態では、コロケーション情報が、端末デバイス１１０が少なくとも１つのコンポーネントキャリア上で通信測定を実行する必要があるかどうか、または低減された量の通信測定を実行する必要があるかどうかを直接示すことができる。例えば、コロケーション情報が１つ以上のコンポーネントキャリアがプライマリ・コンポーネントキャリアであることを示す場合、端末デバイス１１０は、１つ以上のコンポーネントキャリア上で通信測定を実行する必要があり得る。
【００５６】
あるいは、コロケーション情報が１つ以上のコンポーネントキャリアを含むコンポーネントキャリアのコロケーションされたグループのインデックスを含むことができる。端末デバイス１１０は、コロケートされたグループから一次コンポーネントキャリアを決定することができる。例えば、プライマリセルのコンポーネントキャリアが存在する場合、このコンポーネントキャリアは、プライマリ・コンポーネントキャリアとして決定されることができる。コロケーションされたグループ内のコンポーネントキャリアがＳＣｅｌｌのすべてのコンポーネントキャリアである場合、端末デバイス１１０は、プライマリ・コンポーネントキャリアをランダムに決定することができる。あるいは、コロケーション情報がネットワークデバイス１２０によって決定されたプライマリ・コンポーネントキャリアを示すことができる。
【００５７】
ブロック３２０において、端末デバイス１１０は、コロケーション情報および／または１つ以上のコンポーネントキャリアに関連する第１方向のビームの情報に基づいて、１つ以上のコンポーネントキャリアの通信測定の要件を決定する。いくつかの実施形態では、端末デバイス１１０が１つ以上のコンポーネントキャリアがプライマリ・キャリアであるか、または他のプライマリ・キャリアとコロケーションされていないと判定した場合、端末デバイス１１０は１つ以上のコンポーネントキャリア上で通常の通信測定が実行されると判定する。例えば、端末デバイス１１０はＲＳＲＰおよびＲＳＲＱを測定し、１つ以上の構成要素搬送波上の最小数のＳＳＢに基づくビームを測定する必要がある。さらなる実施形態では、端末デバイス１１０が他のコンポーネントキャリア上で周期的な隣接セル探索を実行する必要があり得る。プライマリ・コンポーネントキャリアは、所定の条件に基づいて端末デバイス１１０によって決定されることができる。あるいは、プライマリ・コンポーネントキャリアがネットワークデバイス１２０によって示されることができる。
【００５８】
他の実施形態では、端末デバイス１１０が、１つ以上のコンポーネントキャリアが他のキャリアとコロケーションされており、１つ以上のコンポーネントキャリアがプライマリ・キャリア成分ではないと判定した場合、端末デバイス１１０は低減された通信測定が１つ以上のコンポーネントキャリア上で実行されると判定する。例えば、端末デバイス１１０は、１つ以上のコンポーネントキャリアを全く測定する必要がない場合がある。このようにして、端末デバイス１１０の測定労力および消費電力を大幅に低減することができる。代替として、または追加として、コロケーション情報は１つ以上のコンポーネントキャリアが他のコンポーネントキャリア（たとえば、プライマリ・コンポーネントキャリア）と同じビーム方向を有することを示す中で、端末デバイス１１０は、１つ以上のコンポーネントキャリア上で低減された通信測定を実行することを決定することもできる。
【００５９】
さらなる例において、端末デバイス１１０は、コンポーネントキャリアが一次キャリア成分でない場合、受信信号強度インジケータ（ＲＳＳＩ）のみを測定するように決定することができる。代替的にまたは追加的に、端末デバイス１１０は、１つ以上のコンポーネントキャリア上でＲＳＰＰ／ＲＳＲＱ測定を測定しないことを決定し得る。他の実施形態では、端末デバイス１１０がコンポーネントキャリア当たり１つのＳＳＢのみが測定される必要があると判定することができる。いくつかの実施形態では、端末デバイス１１０１が他の帯域内コンポーネントキャリア上で隣接セル探索を実行しないことを決定することができる。
【００６０】
上述したように、通信測定の要件は、端末デバイス１１０によって決定されることができる。あるいは、通信測定の要件がネットワークデバイス１２０によって構成されることができる。
【００６１】
ブロック３３０において、端末デバイス１１０は、判定された要件に基づいて、１つ以上のコンポーネントキャリアに対して通信測定を実行する。次に例を示す。
【００６２】
１）  要件は、コロケートされたＣＣ（コロケートされていないＣＣとは異なる可能性がある）に対する端末デバイス測定努力を指定する。ネットワークデバイス１２０は（例えば、信号において上記で示されるように、フィールドｃｏｌｌｏｃａｔｅｄＷｉｔｈＳｅｒｖＣｅｌｌを介して）コロケーションが想定され得るセルを示す。
【００６３】
２）  ネットワークデバイス１２０は、（例えば、上記のシグナリング例におけるフィールドｒｅｌａｘｅｄＭｅａｓｕｒｅｍｅｎｔｓの存在を介して）端末デバイス１１０が低減された測定要件がＣＣに適用されるかどうかを示す。
【００６４】
これらの要件に基づいて、端末デバイス１１０は、それに応じて測定を実行することができる。
【００６５】
一実施形態によると、端末デバイス１１０はプライマリＣＣ以外の帯域内ＣＣのいずれかを測定する必要がなくてもよく、これはＵＥ測定の労力および電力消費を大幅に削減することになる。
【００６６】
いくつかの実施形態では、コロケーション情報が、（例えば、コロケーション標示フィールドの非存在を介して、またはコロケーションされたコロケーションを親サービングセルｉｄと同じにセットすることを介して）１つ以上のコンポーネントキャリアが任意のプライマリ・ＣＣとコロケーションされていると仮定することができないことを示す場合、端末デバイス１１０はそれに応じて１つ以上のコンポーネントキャリア上で測定を実行することができる。すなわち、端末デバイス１１０は、複数のセルおよびビーム上の１つ以上のコンポーネントキャリアに対して定期的な測定を実行することができる。
【００６７】
上述のように、１つ以上のコンポーネントキャリアが他のコンポーネントキャリアとコロケーションされ、プライマリ・コンポーネントキャリアではない場合、端末デバイス１１０は、１つ以上のコンポーネントキャリア上で部分的な通信測定を実行することができる。例えば、端末デバイス１１０はレイヤ３（Ｌ３）フィルタリングなしに、レイヤ１（Ｌ１）ＲＳＲＰ結果のみを提供してもよい。また、端末デバイス１１０は、セル検出／非検出情報のみを提供してもよい。
【００６８】
すなわち、いくつかの測定パラメータを測定する必要がない。このようにして、端末デバイス１１０の測定労力および消費電力を大幅に低減することができる。
【００６９】
いくつかの実施形態では、方法２００を実行するための装置（例えば、ネットワークデバイス１２０）は方法２００における対応するステップを実行するためのそれぞれの手段を備えることができる。これらの手段は、任意の好適な方法で実施することができる。例えば、回路またはソフトウェアモジュールによって実施することができる。
【００７０】
いくつかの実施形態では、装置が、少なくとも１つのコンポーネントキャリアに関連するビームの第１方向を決定するための手段と、第１方向に基づいて少なくとも１つのコンポーネントキャリアのコロケーション情報を決定するための手段であって、該コロケーション情報が、少なくとも１つのコンポーネントキャリアがコロケーションされているかどうかを示す、手段と、少なくとも１つのコンポーネントキャリアのコロケーション情報および／または少なくとも１つのコンポーネントキャリアに関連する第１方向のビームの情報を端末デバイスに送信するための手段と、を備える。
【００７１】
いくつかの実施形態では、少なくとも１つのコンポーネントキャリアのコロケーション情報を決定するための手段が、少なくとも１つのコンポーネントキャリアに関連付けられたビームの第１方向を、プライマリ・コンポーネントキャリアに関連付けられたビームの第２方向と比較するための手段と、比較に基づいて少なくとも１つのコンポーネントキャリアのコロケーション情報を決定するための手段とを備える。
【００７２】
いくつかの実施形態では、少なくとも１つのコンポーネントキャリアのコロケーション情報を送信するための手段が、閾値を超える第１方向と第２方向との間の類似性値、および、プライマリ・キャリアとコロケーションされている少なくとも１つのコンポーネントキャリアに応じて、プライマリ・コンポーネントキャリアと同じビーム方向を有する少なくとも１つのコンポーネントキャリアを決定する手段と、プライマリ・コンポーネントキャリアとコロケーションされている少なくとも１つのコンポーネントキャリアと、プライマリ・コンポーネントキャリアと同じビーム方向を有する少なくとも１つのコンポーネントキャリアとを示すコロケーション情報を端末デバイスに送信するための手段とを備える。
【００７３】
いくつかの実施形態では、少なくとも１つのコンポーネントキャリアのコロケーション情報を送信するための手段が、閾値未満である第１方向と第２方向との間の類似性値に応じて、プライマリ・キャリアとコロケートされている少なくとも１つのコンポーネントキャリアとに応じて、プライマリ・コンポーネントキャリアとコロケーションされている少なくとも１つのコンポーネントキャリアと、プライマリ・コンポーネントキャリアと異なるビーム方向を有する少なくとも１つのコンポーネントキャリアとを決定するための手段と、プライマリ・コンポーネントキャリアとコロケーションされている少なくとも１つのコンポーネントキャリアと、プライマリ・コンポーネントキャリアと異なるビーム方向を有する少なくとも１つのコンポーネントキャリアとを示すコロケーション情報を端末デバイスに送信するための手段とを備える。
【００７４】
いくつかの実施形態では、少なくとも１つのコンポーネントキャリアのコロケーション情報を送信するための手段が、閾値を超える第１方向と第２方向との間の類似値と、プライマリ・キャリアとコロケートされていない少なくとも１つのコンポーネントキャリアとに応じて、プライマリ・コンポーネントキャリアと同じビーム方向を有する少なくとも１つのコンポーネントキャリアを決定する手段と、プライマリ・コンポーネントキャリアとコロケートされていない少なくとも１つのコンポーネントキャリアと、プライマリ・コンポーネントキャリアと同じビーム方向を有する少なくとも１つのコンポーネントキャリアとを示すコロケーション情報を端末デバイスに送信するための手段とを備える。
【００７５】
いくつかの実施形態では、少なくとも１つのコンポーネントキャリアのコロケーション情報を決定するための手段が、少なくとも１つのコンポーネントキャリアに関連するビームの第１方向をコンポーネントキャリアのセットに関連するビームの第３の方向と比較するための手段と、比較に基づいて少なくとも１つのコンポーネントキャリアのコロケーション情報を決定するための手段とを備える。
【００７６】
いくつかの実施形態では、少なくとも１つのコンポーネントキャリアのコロケーション情報を送信するための手段が、閾値を超える第１方向と第３の方向との間の類似値と、コンポーネントキャリアのセットとコロケーションされているコンポーネントキャリアの少なくとも１つと、に応じて、コンポーネントキャリアのセットと同じビーム方向を有するコンポーネントキャリアの少なくとも１つとを決定する手段と、コンポーネントキャリアのセットとコロケーションされているコンポーネントキャリアの少なくとも１つと、同じビーム方向を有するコンポーネントキャリアの少なくとも１つと、を示すコロケーション情報と、少なくとも１つのコンポーネントキャリアおよびコンポーネントキャリアのセットのインデックスを含むコロケーション情報とを端末デバイスに送信するための手段とを備える。
【００７７】
いくつかの実施形態では、装置が、少なくとも１つのコンポーネントキャリアおよびコンポーネントキャリアのセットからプライマリ・コンポーネントキャリアを決定するための手段と、決定されたプライマリ・コンポーネントキャリアのインデクスを含むコロケーションインフォメーションを端末デバイスに送信するための手段とをさらに備える。
【００７８】
いくつかの実施形態では、方法３００を実行するための装置（例えば、端末デバイス１１０）は方法３００における対応するステップを実行するためのそれぞれの手段を備えることができる。これらの手段は、任意の好適な方法で実施することができる。例えば、回路またはソフトウェアモジュールによって実施することができる。
【００７９】
いくつかの実施形態では、装置が、ネットワークデバイスから、少なくとも１つのコンポーネントキャリアのコロケーション情報および／または少なくとも１つのコンポーネントキャリアに関連する第１方向のビームの情報を受信するための手段であって、該コロケーション情報はコロケーションされているかどうかを示すコロケーション情報である、手段と、少なくとも１つのコンポーネントキャリアに関連する第１方向のビームの情報とに基づいて、少なくとも１つのコンポーネントキャリアの通信測定の要求を決定するための手段と、決定された要求に基づいて、少なくとも１つのコンポーネントキャリア上で通信測定を実行するための手段と、を備える。
【００８０】
いくつかの実施形態では、要件を決定するための手段が、少なくとも１つのコンポーネントキャリアのうちの少なくとも１つが別のコンポーネントキャリアとコロケーションされていること、他のコンポーネントキャリアと同じビーム方向を有する少なくとも１つのコンポーネントキャリアとを示すコロケーション情報に応答して、通信測定値がヌルであること、基準信号受信電力および基準信号受信品質、受信信号強度標示のみを含む測定パラメータ、および、１つの同期ブロックを含む測定パラメータのうちの少なくとも１つを除外する測定パラメータのうちの１つを示す要件を決定する手段を含む。
【００８１】
いくつかの実施形態では、装置が、コンポーネントキャリアのセットとコロケーションされている少なくとも１つのコンポーネントキャリアを決定することに応じて、少なくとも１つのコンポーネントキャリアおよびコンポーネントキャリアのセットからプライマリ・コンポーネントキャリアを決定する手段をさらに備える。
【００８２】
いくつかの実施形態では、要求を決定するための手段が、少なくとも１つのコンポーネントキャリアを除くプライマリ・コンポーネントキャリアに応じて、通信測定はヌルである、測定パラメータは、基準信号受信電力および基準信号受信品質のうちの少なくとも１つを除く、測定パラメータが受信信号強度標示のみを含む、および、少なくとも１つのコンポーネントキャリア上の１つの同期ブロックを含む測定パラメータのうちの１つを示すための要求を決定する手段を含む。
【００８３】
いくつかの実施形態では、要求を決定するための手段が、コンポーネントキャリアのセットとコロケーションされているコンポーネントキャリアの少なくとも１つと、前記コンポーネントキャリアのセットと同じビーム方向を有するコンポーネントキャリアの少なくとも１つとのうちの少なくとも１つを決定することに応答して、コンポーネントキャリアの少なくとも１つと前記コンポーネントキャリアのセットとからプライマリ・コンポーネントキャリアを決定する手段と、前記プライマリ・コンポーネントキャリアである前記少なくとも１つのコンポーネントキャリアに応答して、基準信号受信電力、基準信号受信品質受信信号強度標示、および、少なくとも１つのコンポーネントキャリア上の２つ以上の同期ブロックのうちの少なくとも１つを含む測定パラメータ、隣接セル探索を実行するのうちの１つを示すための要求を決定する手段と、を含む。
【００８４】
いくつかの実施形態では、コロケーション情報が決定されたプライマリ・コンポーネントキャリアのインデックスを含む。
【００８５】
いくつかの実施形態では、要求を決定するための手段が、別のコンポーネントキャリアとコロケーションされていない少なくとも１つのコンポーネントキャリアと、他のコンポーネントキャリアと異なるビーム方向を有するコンポーネントキャリアのうちの少なくとも１つとを決定し、基準信号受信電力、基準信号受信品質受信信号強度標示、および少なくとも１つのコンポーネントキャリア上の２つ以上の同期ブロックのうちの少なくとも１つを含む測定パラメータのうちの１つを示すための要求を決定する手段を含む。隣接セル探索を実行することと、手段とを含む。
【００８６】
図４は、本開示の実施形態を実施するのに適したデバイス４００の簡略化されたブロック図である。デバイス４００は、ネットワークデバイス１２０において実装されることができる。デバイス４００は、端末デバイス１１０に実装されることができる。図示のように、デバイス４００は、１つ以上のプロセッサ４１０と、プロセッサ４１０に結合された１つ以上のメモリ４２０と、プロセッサ４１０に結合された１つ以上の送信機および／または受信機（ＴＸ／ＲＸ）４４０とを含む。
【００８７】
プロセッサ４１０は、ローカル技術ネットワークに適した任意のタイプとすることができ、非限定的な例として、汎用コンピュータ、専用コンピュータ、マイクロプロセッサ、デジタル信号プロセッサ（ＤＳＰ）、およびマルチコアプロセッサアーキテクチャに基づくプロセッサのうちの１つ以上を含むことができる。デバイス４００は、メインプロセッサを同期させるクロックに合わせてスレーブされる特定用途向け集積回路チップなどの複数のプロセッサを有することができる。
【００８８】
メモリ４２０は、ローカル技術ネットワークに適した任意のタイプとすることができ、非限定的な例として、非一時的なコンピュータ可読格納媒体、半導体ベースのメモリデバイス、磁気メモリデバイスおよびシステム、光メモリデバイスおよびシステム、固定メモリおよびリムーバブルメモリなど、任意の適切なデータ格納技術を使用して実装することができる。
【００８９】
メモリ４２０は、プログラム４３０の少なくとも一部を格納する。ＴＸ／ＲＸ４４０は、双方向通信のためのものである。ＴＸ／ＲＸ４４０は通信を容易にするために少なくとも１つのアンテナを有するが、実際には本出願で言及されるアクセスノードがいくつかのアンテナを有することができる。通信インタフェースは、他のネットワーク要素との通信に必要な任意のインタフェースを表すことができる。
【００９０】
プログラム４３０は、関連するプロセッサ４１０によって実行されると、図２−図３を参照して本明細書で説明されるように、デバイス４００が本開示の実施形態に従って動作することを可能にするプログラム命令を含むと仮定される。すなわち、本開示の実施形態は、デバイス４００のプロセッサ４１０によって実行可能なコンピュータソフトウェアによって、またはハードウェアによって、またはソフトウェアとハードウェアとの併用によって実装することができる。
【００９１】
本明細書は多くの具体的な実装の詳細を含むが、これらは任意の開示または特許請求され得るもの範囲に対する限定として解釈されるべきではなく、むしろ、特定の開示の特定の実施形態に固有であり得る特徴の説明として解釈されるべきである。別個の実施形態の文脈で本明細書に記載される特定の特徴は、単一の実施形態において組み合わせて実施することもできる。逆に、単一の実施形態の文脈で説明される様々な特徴は複数の実施形態で別々に、または任意の適切な併用で実装することもできる。さらに、特徴は特定の併用で動作するものとして上記で説明されてもよく、そのようなものとして最初に特許請求されることができるが、特許請求される併用からの１つ以上の特徴は場合によってはその併用から削除されてもよく、特許請求される併用はサブ併用またはサブ併用の変化量に向けられてもよい。
【００９２】
同様に、動作は特定の順序で図面に示されているが、これは望ましい結果を達成するために、そのような動作が示された特定の順序で、または連続的な順序で実行されること、または示されたすべての動作が実行されることを必要とするものとして理解されるべきではない。特定の状況では、マルチタスキングおよび並列処理が有利であり得る。さらに、上記の実施形態における様々なシステム構成要素の分離は、すべての実施形態においてそのような分離を必要とするものとして理解されるべきではなく、説明されるプログラム構成要素およびシステムは一般に、単一のソフトウェア製品に一緒に統合され得るか、または複数のソフトウェア製品にパッケージ化され得ることを理解されたい。
【００９３】
本開示の前述の例示的な実施形態に対する様々な改変、適応は、添付の図面と併せて読むと、前述の説明に鑑みて、関連技術分野の当業者には明らかになる。任意のおよび全ての修正は、依然として、本開示の非限定的かつ例示的な実施形態の技術的範囲内にある。さらに、本明細書に記載された開示の他の実施形態は、前述の説明および関連する図面に提示された教示の利益を有する、開示のこれらの実施形態が関係する当業者が思い浮かべるものである。
【００９４】
したがって、本開示の実施形態は開示された特定の実施形態に限定されるべきではなく、修正形態および他の実施形態は添付の特許請求の技術的範囲内に含まれることが意図されることを理解されたい。本明細書では特定の用語が使用されているが、それらは一般的かつ説明的な意味でのみ使用されており、限定を目的とするものではない。
【図１】
2021529463.tif 000008
【図２】
2021529463.tif 000009
【図３】
2021529463.tif 000010
【図４】
2021529463.tif 000011
【国際調査報告】
2021529463.tif 000012
2021529463.tif 000013